【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
遊技盤を設けてなる遊技機本体と、
前記遊技機本体に対し前記遊技盤の盤面側にて開閉可能に支持される前扉と、
前記遊技盤にその裏側から設けられる裏部品と、
前記遊技盤に形成してなる盤面部品取り付け用開孔部にその前側から対向するように前記遊技盤の盤面に設けられる盤面部品とを備え、
前記前扉は、前記遊技盤の盤面に対向可能な透明板を設けてなる遊技機において、
前記裏部品は、
前記遊技盤にその裏側から設けられる裏カバーと、
前記遊技盤に形成してなる中央開口部に対向するように前記裏カバーに形成してなる組み付け穴部に前記中央開口部を通してその前方から視認可能なように組み付けられて演出表示を行う表示装置と、
前記盤面部品用開口部に対向するように支持される磁気センサとを備えており、
前記遊技盤の盤面に沿い転動する遊技球を前記盤面部品に誘導するように当該遊技球に対し前記前扉の前記透明板を介し磁石を対向させたとき、前記磁石センサは、前記磁石の磁気を検出してエラー検出信号を発生し、
前記表示装置は、その表示面の全面に亘り、所定のエラー画像を、前記演出表示中の表示内容を視認できるように、前記磁石センサの前記エラー検出信号に基づき、表示することを特徴とする遊技機。
【請求項２】
遊技盤を設けてなる遊技機本体と、
前記遊技機本体に対し前記遊技盤の盤面側にて開閉可能に支持される前扉と、
前記遊技盤にその裏側から設けられる裏部品と、
前記遊技盤に形成してなる盤面部品取り付け用開孔部にその前側から対向するように前記遊技盤の盤面に設けられる盤面部品とを備え、
前記前扉は、前記遊技盤の盤面に対向可能な透明板を設けてなる遊技機において、
前記裏部品は、
前記遊技盤にその裏側から設けられる裏カバーと、
前記遊技盤に形成してなる中央開口部に対向するように前記裏カバーに形成してなる組み付け穴部に前記中央開口部を通してその前方から視認可能なように組み付けられて演出表示を行う表示装置と、
前記盤面部品用開口部に対向するように前記遊技盤の裏面側に支持される磁気センサとを備えており、
前記遊技盤の盤面に沿い転動する遊技球を前記盤面部品に誘導するように当該遊技球に対し前記前扉の前記透明板を介し磁石を対向させたとき、前記磁石センサは、前記磁石の磁気を検出してエラー検出信号を発生し、
前記表示装置は、その表示面の全面に亘り、所定のエラー画像を、前記演出表示中の表示内容を視認できるように、前記磁石センサの前記エラー検出信号に基づき、表示することを特徴とする遊技機。
【手続補正２】
【補正対象書類名】明細書
【補正対象項目名】０００９
【補正方法】変更
【補正の内容】
【０００９】
上記課題の解決にあたり、本発明に係る遊技機は、請求項１の記載によれば、
遊技盤（１０）を設けてなる遊技機本体（Ｂ）と、
遊技機本体に対し遊技盤の盤面側にて開閉可能に支持される前扉（Ｄ）と、
遊技盤にその裏側から設けられる裏部品（８０、９０）と、
遊技盤に形成してなる盤面部品取り付け用開孔部（１２〜１４）にその前側から対向するように遊技盤の盤面に設けられる盤面部品（３０、４０、６０ｂ〜６０ｄ、７０）とを備え、
前扉は、遊技盤の盤面に対向可能な透明板（Ｄａ）を設けてなるものである。
【手続補正３】
【補正対象書類名】明細書
【補正対象項目名】００１０
【補正方法】変更
【補正の内容】
【００１０】
当該遊技機において、
裏部品は、
遊技盤にその裏側から設けられる裏カバー（９０）と、
遊技盤に形成してなる中央開口部（１０ａ）に対向するように裏カバーに形成してなる組み付け穴部（９１）に上記中央開口部を通してその前方から視認可能なように組み付けられて演出表示を行う表示装置（１００）と、
上記盤面部品用開口部に対向するように支持される磁気センサ（Ｓ６）とを備えており、
遊技盤の盤面に沿い転動する遊技球を盤面部品に誘導するように当該遊技球に対し前扉の上記透明板を介し磁石を対向させたとき、磁石センサは、上記磁石の磁気を検出してエラー検出信号を発生し、
表示装置は、その表示面の全面に亘り、所定のエラー画像（Ｇ、Ｇ１）を、上記演出表示中の表示内容を視認できるように、磁石センサからの上記エラー検出信号に基づき、表示することを特徴とする。
【手続補正４】
【補正対象書類名】明細書
【補正対象項目名】００１１
【補正方法】変更
【補正の内容】
【００１１】
これによれば、磁気センサが遊技盤の盤面部品取り付け用開孔部に対向するように支持されている。ここで、盤面部品取り付け用開孔部の前後両側においては、盤面部品が存在するのみで、他の構成部品やベニヤ板の積層体等の密集した構成を伴うことなく、簡単な構成となっている。従って、磁石センサを、上述のごとく、遊技盤の盤面部品取り付け用開孔部に対向するように支持することで、当該磁石センサは、その磁気の流れを妨げられたり磁気を減少させたりすることなく、良好な磁気検出機能を発揮し得る。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、裏部品は、裏カバーを含め、表示装置と共に、前扉や遊技盤とは異なり、機枠等のようにメーカーとしての商品性が低く、当該遊技機を新たな遊技機にする際に、交換を必要としない交換不要部品である。従って、当該遊技機の交換時期が到来しても、表示装置は、新たな表示装置に交換することなく、そのまま、裏カバーと共に、新たな遊技機において利用され得る。その結果、表示装置の新品を入手する必要もなく、コスト低減につながる。
【手続補正７】
【補正対象書類名】明細書
【補正対象項目名】００１４
【補正方法】変更
【補正の内容】
【００１４】
さらに、遊技者が、遊技盤の盤面に沿い転動する遊技球を盤面部品に誘導するように不正行為をしようとして、前扉の透明板を介し当該遊技球に対して磁石を対向させたとき、磁石センサは、磁石の磁気を検出してエラー検出信号を発生し、表示装置は、その表示面の全面に亘り、所定のエラー画像を、上述の演出表示中の表示内容を視認できるように、磁石センサの上記エラー検出信号に基づき、表示する。
【手続補正８】
【補正対象書類名】明細書
【補正対象項目名】００１５
【補正方法】変更
【補正の内容】
【００１５】
これにより、遊技者の磁石の磁気による不正行為が発生した際には、表示装置は、その表示面の全面に亘り、所定のエラー画像のみを、装飾図柄変動継続中でもその装飾図柄変動の表示をすることなく、表示することとなる。これにより、遊技者は、その不正行為に対し、上記所定のエラー画像でもって警告表示され得る。その結果、遊技者は、エラー表示中の当該遊技機による遊技の進行状況を認識し得ず、遊技の興趣を低下させてしまう。
また、本発明に係る遊技機は、請求項２の記載によれば、
遊技盤を設けてなる遊技機本体と、
遊技機本体に対し遊技盤の盤面側にて開閉可能に支持される前扉と、
遊技盤にその裏側から設けられる裏部品と、
遊技盤に形成してなる盤面部品取り付け用開孔部にその前側から対向するように遊技盤の盤面に支持される盤面部品とを備え、
前扉は、遊技盤の盤面に対向可能な透明板を設けてなるものである。
当該遊技機において、
裏部品は、
遊技盤にその裏側から設けられる裏カバーと、
遊技盤に形成してなる中央開口部に対向するように裏カバーに形成してなる組み付け穴部に上記中央開口部を通してその前方から視認可能なように組み付けられて演出表示を行う表示装置と、
上記盤面部品用開口部に対向するように遊技盤の裏面側に支持される磁気センサとを備えており、
遊技盤の盤面に沿い転動する遊技球を盤面部品に誘導するように当該遊技球に対し前扉の透明板を介し磁石を対向させたとき、磁石センサは、磁石の磁気を検出してエラー検出信号を発生し、
表示装置は、その表示面の全面に亘り、所定のエラー画像を、上記演出表示中の表示内容を視認できるように、磁石センサの上記エラー検出信号に基づき、表示することを特徴とする。
これによれば、磁気センサが遊技盤の盤面部品取り付け用開孔部に対向するように遊技盤の裏面側に支持されている。ここで、盤面部品取り付け用開孔部の前後両側においては、盤面部品が存在するのみで、他の構成部品やベニヤ板の積層体等の密集した構成を伴うことなく、簡単な構成となっている。従って、磁石センサを、上述のごとく、遊技盤の盤面部品取り付け用開孔部に対向するように遊技盤の裏面側に支持することで、磁石センサは、その磁気の流れを妨げられたり磁気を減少させたりすることなく、良好な磁気検出機能を発揮し得る。
また、裏部品は、裏カバーを含め、表示装置と共に、前扉や遊技盤とは異なり、機枠等のようにメーカーとしての商品性が低く、当該遊技機を新たな遊技機にする際に、交換を必要としない交換不要部品である。従って、当該遊技機の交換時期が到来しても、表示装置は、新たな表示装置に交換することなく、そのまま、裏カバーと共に、新たな遊技機において利用され得る。その結果、表示装置の新品を入手する必要もなく、コスト低減につながる。
さらに、遊技者が、遊技盤の盤面に沿い転動する遊技球を盤面部品に誘導するように不正行為をしようとして、前扉の透明板を介し当該遊技球に対して磁石を対向させたとき、磁石センサは、磁石の磁気を検出してエラー検出信号を発生し、表示装置は、磁石センサからのエラー検出信号に基づき、所定のエラー画像を、上述の演出表示中の表示内容をその前側から覆うように、表示する。
このように、遊技者の磁石の磁気による不正行為が発生した際には、表示装置は、その表示面の全面に亘り、所定のエラー画像を、演出表示中の表示内容を視認できるように、磁石センサのエラー検出信号に基づき、表示する。これにより、遊技者は、その不正行為に対し、上記所定のエラー画像でもって警告表示され得る。その結果、遊技者は、エラー表示中の当該遊技機による遊技の進行状況を認識し得ず、遊技の興趣を低下させてしまう。
【手続補正９】
【補正対象書類名】明細書
【補正対象項目名】００１６
【補正方法】変更
【補正の内容】
【００１６】
なお、請求項１または２において、「磁気センサは、盤面部品取り付け用開孔部に対向する」とは、「磁気センサは、盤面部品取り付け用開孔部を通して投影されたとき、その投影領域内にある」ことをいう。
【手続補正１０】
【補正対象書類名】明細書
【補正対象項目名】００１７
【補正方法】変更
【補正の内容】
【００１７】
本発明によれば、遊技盤の盤面部品取り付け用開孔部の前後両側においては、ベニヤ板の積層体等の密集した構成を伴うことなく、簡単な構成となっている。従って、磁石センサを、遊技盤の盤面部品取り付け用開孔部に対向するように支持することで、磁石センサは、その磁気の流れを妨げられたり磁気を減少させたりすることなく、良好な磁気検出機能を発揮し得る。
【手続補正１１】
【補正対象書類名】明細書
【補正対象項目名】００１８
【補正方法】変更
【補正の内容】
【００１８】
ここで、遊技者の磁石の磁気による不正行為が発生した際には、表示装置は、その表示面の全面に亘り、所定のエラー画像のみを、装飾図柄変動継続中でもその装飾図柄変動の表示をすることなく、表示することとなる。これにより、遊技者は、その不正行為に対し、上記所定のエラー画像でもって警告表示されて、エラー表示中の当該遊技機による遊技の進行状況を認識し得ず、遊技の興趣を低下させてしまう。